(57)【要約】【課題】音声出力部とスピーカ部とを電気的に接続する接続部材の破損を防止する。【解決手段】耳装着型装置１であって、装着時に後頭部Ｈ付近で保持される本体部１０から延出され、内側に音声出力部と左右ドライバユニットとを電気的に接続する接続部材６が配設された左右アーム部３Ｒ、３Ｌを本体部１０に対して回動させ、これら左右アーム部３Ｒ、３Ｌの回動を装着位置停止部５１５及び収納位置停止部５２５により停止させるように構成されている。【選択図】図４
2006109311.tif 000002
【特許請求の範囲】
【請求項１】
装着時に後頭下方部付近で保持される本体部と、
この本体部から延出した一対のアーム部と、
これらアーム部それぞれの先端部に支持された一対のスピーカ部と、
前記本体部に設けられ、前記一対のスピーカ部へ音声信号を出力する音声出力部と、
前記アーム部の内側に配設され、前記音声出力部と前記スピーカ部とを電気的に接続する接続部材と、
前記アーム部を前記本体部に対して回動させるための回動機構部と、
この回動機構部による前記アーム部の回動を停止させるための回動停止機構部と、
を備えることを特徴とする耳装着型電子機器。
【請求項２】
前記回動停止機構部は、機器装着位置及び機器収納位置にて前記アーム部の回動を停止させることを特徴とする請求項１に記載の耳装着型電子機器。
【請求項３】
前記回動停止機構部は、
前記アーム部の回動を前記機器装着位置に停止させるための装着位置停止部と、
前記アーム部の回動を前記機器収納位置に停止させるための収納位置停止部と、を備え、
前記本体部は、
凹型に形成され、開口側を互いに対向させて配設される第一本体ケース部及び第二本体ケース部を備え、
前記第一本体ケース部及び前記第二本体ケース部の何れか一方に前記装着位置停止部が設けられ、他方に前記収納位置停止部が設けられていることを特徴とする請求項２に記載の耳装着型電子機器。
【請求項４】
前記回動機構部は、外面を前記本体部の内面に摺動させるようにして前記アーム部の回動を案内する摺動ガイドを備えることを特徴とする請求項１〜３の何れか一項に記載の耳装着型電子機器。
【請求項５】
前記本体部の内側には、前記内面から突出されたリブが設けられ、
前記摺動ガイドの外面には、前記リブに係合される溝部が摺動方向に沿って形成されていることを特徴とする請求項４に記載の耳装着型電子機器。
【請求項６】
前記回動機構部は、前記アーム部の前記本体部に取り付けられることで当該本体部の内側となる位置に、前記アーム部の回動軸を有する軸部を備え、
前記摺動ガイドは、前記軸部に設けられるとともに、前記外面が略円弧状に形成され、且つ、前記回動軸から径方向に延在して、前記回動停止機構部により前記アーム部の回動を停止させるための回動停止面を有することを特徴とする請求項４又は５に記載の耳装着型電子機器。
【請求項７】
前記回動機構部は、前記アーム部の前記本体部に取り付けられることで当該本体部の内側となる位置に、前記アーム部の回動軸を有する軸部を備え、
前記軸部は、前記回動軸に近づくに従って肉厚となるように形成されたフランジ部を備えることを特徴とする請求項１〜５の何れか一項に記載の耳装着型電子機器。
【請求項８】
前記フランジ部は、前記回動軸側に凹むように、且つ、前記本体部の内壁に沿うように曲面状に形成された外面部を有することを特徴とする請求項７に記載の耳装着型電子機器。
【発明の詳細な説明】
【技術分野】
【０００１】
本発明は、耳装着型電子機器に関し、より詳細には音声出力を可能とするように構成された電子機器に関する。
【背景技術】
【０００２】
従来から、脈拍や心拍数等といった人体の血流に関する生体情報を測定する電子機器がある。このような電子機器の製品には形状・大きさが様々なものがあり、携帯可能な大きさに小型化されたり、他の製品に一体的に組み込まれているものがある。
【０００３】
一例として腕時計に脈拍センサを内蔵した電子機器がある。使用者は、腕時計に組み込まれた脈拍センサに指端の腹面を当接することで、脈拍センサにより光学的に脈拍が検出され、腕時計本体の表示部に脈拍数が表示される。
【０００４】
このような小型化された電子機器は、例えば、ジョギングやウォーキング等の運動中に使用されることが多い。ところが、腕時計型の電子機器では、腕時計の表示部に測定結果が表示されるため、測定結果の確認のためには、手首に装着されている腕時計を目線の高さまで持ち上げなければならず、運動の妨げとなってしまっていた。
【０００５】
そこで、測定結果を音声によって知らせる耳装着型の電子機器として次の技術が考案された。すなわち、ＥＣＧ（electrocardiogram）測定電極を配置したベルトとヘッドホンとにより構成され、当該ベルトを胸部や腹部といった胴体に巻き付け、ＥＣＧ測定電極を介して測定された心拍数をヘッドホンから音声出力するヘッドホン型の電子機器である（特許文献１参照）。
【０００６】
また、このようなヘッドホン型の耳装着型電子機器において、ヘッドホンとこのヘッドホンに対して音声信号を出力する音声出力部を有する本体部をアーム部で接続し、さらに、アーム部の内側にヘッドホンと本体部とを電気的に接続するコードが配設されたものも開発されている。
【特許文献１】米国特許第５３１４３８９号明細書
【発明の開示】
【発明が解決しようとする課題】
【０００７】
ところで、上記のような耳装着型電子機器として、当該耳装着型電子機器の非使用の際にアーム部を折り畳んで収納できるようにアーム部を本体部に対して回動自在に構成されたものがある。しかしながら、アーム部の内側にコードが配設されたものの場合、アーム部の本体部に対する回動に従ってコードが捻れてしまい、断線する虞がある。
【０００８】
そこで、本発明の課題は、音声出力部とスピーカ部とを電気的に接続する接続部材の破損を防止することができる耳装着型電子機器を提供することである。
【課題を解決するための手段】
【０００９】
請求項１に記載の発明の耳装着型電子機器（例えば、図１の耳装着型装置１）は、
装着時に後頭下方部付近で保持される本体部（例えば、図１の本体部１０）と、
この本体部から延出した一対のアーム部（例えば、図１の左右アーム部３Ｒ、３Ｌ等）と、
これらアーム部それぞれの先端部に支持された一対のスピーカ部（例えば、図１の左右ドライバユニット３４Ｒ、３４Ｌ等）と、
前記本体部に設けられ、前記一対のスピーカ部へ音声信号を出力する音声出力部（例えば、図１３の音声出力部１１６）と、
前記アーム部の内側に配設され、前記音声出力部と前記スピーカ部とを電気的に接続する接続部材（例えば、図４の接続部材６）と、
前記アーム部を前記本体部に対して回動させるための回動機構部（例えば、図６の軸部４００等）と、
この回動機構部による前記アーム部の回動を停止させるための回動停止機構部（例えば、図１１及び図１２の装着位置停止部５１５、収納位置停止部５２５等）と、
を備えることを特徴としている。
【００１０】
請求項２に記載の発明は、請求項１に記載の耳装着型電子機器において、
前記回動停止機構部は、機器装着位置及び機器収納位置にて前記アーム部の回動を停止させることを特徴としている。
【００１１】
請求項３に記載の発明は、請求項２に記載の耳装着型電子機器において、
前記回動停止機構部は、
前記アーム部の回動を前記機器装着位置に停止させるための装着位置停止部（例えば、図１０の装着位置停止部５１５）と、
前記アーム部の回動を前記機器収納位置に停止させるための収納位置停止部（例えば、図１１の収納位置停止部５２５）と、を備え、
前記本体部は、
凹型に形成され、開口側を互いに対向させて配設される第一本体ケース部（例えば、図１０のパネル側ケース５１０等）及び第二本体ケース部（例えば、図１１の電源側ケース５２０等）を備え、
前記第一本体ケース部及び前記第二本体ケース部の何れか一方に前記装着位置停止部が設けられ、他方に前記収納位置停止部が設けられていることを特徴としている。
【００１２】
請求項４に記載の発明は、請求項１〜３の何れか一項に記載の耳装着型電子機器において、
前記回動機構部は、外面（例えば、図６の外面４２１）を前記本体部の内面（例えば、図１０及び図１１の内摺動面５１６、５２６等）に摺動させるようにして前記アーム部の回動を案内する摺動ガイド（例えば、図６の摺動ガイド４２０）を備えることを特徴としている。
【００１３】
請求項５に記載の発明は、請求項４に記載の耳装着型電子機器において、
前記本体部の内側には、前記内面から突出されたリブ（例えば、図１０及び図１１のリブ５１７、５２７）が設けられ、
前記摺動ガイドの外面には、前記リブに係合される溝部（例えば、図６の溝部４２４）が摺動方向に沿って形成されていることを特徴としている。
【００１４】
請求項６に記載の発明は、請求項４又は５に記載の耳装着型電子機器において、
前記回動機構部は、前記アーム部の前記本体部に取り付けられることで当該本体部の内側となる位置に、前記アーム部の回動軸（例えば、図２の回動軸Ｓ３、Ｓ５）を有する軸部（例えば、図６の軸部４００）を備え、
前記摺動ガイドは、前記軸部に設けられるとともに、前記外面が略円弧状に形成され、且つ、前記回動軸から径方向に延在して、前記回動停止機構部により前記アーム部の回動を停止させるための回動停止面（例えば、図１０及び図１１の装着位置回動停止面４２２、収納位置回動停止面４２３等）を有することを特徴としている。
【００１５】
請求項７に記載の発明は、請求項１〜５の何れか一項に記載の耳装着型電子機器において、
前記回動機構部は、前記アーム部の前記本体部に取り付けられることで当該本体部の内側となる位置に、前記アーム部の回動軸を有する軸部を備え、
前記軸部は、前記回動軸に近づくに従って肉厚となるように形成されたフランジ部（例えば、図６のフランジ部４１０）を備えることを特徴としている。
【００１６】
請求項８に記載の発明は、請求項７に記載の耳装着型電子機器において、
前記フランジ部は、前記回動軸側に凹むように、且つ、前記本体部の内壁（例えば、図１０及び図１１のパネル側内壁面部５１４、電源側内壁面部５２４等）に沿うように曲面状に形成された外面部（例えば、図６の外面部４１１）を有することを特徴としている。
【発明の効果】
【００１７】
請求項１に記載の発明によれば、アーム部を本体部に対して回動させるための回動機構部と、この回動機構部によるアーム部の回動を停止させるための回動停止機構部とを備えるので、回動停止機構部によって、回動機構部による本体部に対するアーム部の回動を停止することができることとなって、アーム部を回動させても、当該アーム部の内側に配設された接続部材に無理な力が加わらなくなり、接続部材の破損を防止することができる。
【００１８】
請求項２に記載の発明によれば、請求項１に記載の発明と同様の効果が得られるのは無論のこと、特に、回動停止機構部によって、耳装着型電子機器の機器装着位置及び機器収納位置にアーム部を停止させることができ、当該耳装着型電子機器の装着及び収納を簡便に行うことができる。
【００１９】
請求項３に記載の発明によれば、請求項２に記載の発明と同様の効果が得られるのは無論のこと、特に、回動停止機構部は、アーム部の回動を機器装着位置に停止させるための装着位置停止部と、アーム部の回動を機器収納位置に停止させるための収納位置停止部とを備えているので、装着位置停止部によって、耳装着型電子機器の装着状態におけるアーム部の回動停止位置を規定することができ、また、収納位置停止部によって、耳装着型電子機器の収納状態におけるアーム部の回動停止位置を規定することができる。
さらに、第一本体ケース部及び第二本体ケース部の何れか一方に装着位置停止部が設けられ、他方に収納位置停止部が設けられているので、第一本体ケース部及び第二本体ケース部の何れか一方に装着位置停止部及び収納位置停止部を設ける場合に比べて、装着位置停止部及び収納位置停止部を設ける位置の自由度を向上させることができることとなって、第一本体ケース部及び第二本体ケース部の構造を簡略化することができる。従って、第一本体ケース部及び第二本体ケース部を簡便に形成することができる。
【００２０】
請求項４に記載の発明によれば、請求項１〜３に記載の発明と同様の効果が得られるのは無論のこと、特に、回動機構部は、外面を前記本体部の内面に摺動させるようにしてアーム部の回動を案内する摺動ガイドを備えているので、摺動ガイドによって、本体部に対するアーム部の回動を案内することができ、当該アーム部をより適正に回動させることができる。
【００２１】
請求項５に記載の発明によれば、請求項４に記載の発明と同様の効果が得られるのは無論のこと、特に、摺動ガイドの外面には、本体部の内側の内面から突出されたリブに係合される溝部が摺動方向に沿って形成されているので、摺動ガイドによるアーム部の回動の案内をより好適に行うことができることとなって、アーム部の傾きやがたつき等を適正に抑えることができる。
【００２２】
請求項６に記載の発明によれば、請求項４又は５に記載の発明と同様の効果が得られるのは無論のこと、特に、摺動ガイドは、アーム部の回動軸を有する軸部に設けられており、摺動面となる外面が略円弧状に形成され、且つ、回動軸から径方向に延在して、回動停止機構部によりアーム部の回動を停止させるための回動停止面を有するので、外面を摺動させるようにしてアーム部の回動の案内を適正に行うことができるとともに、回動停止面によってアーム部の回動の停止を適正に行うことができる。
【００２３】
請求項７に記載の発明によれば、請求項１〜５に記載の発明と同様の効果が得られるのは無論のこと、特に、回動機構部は、アーム部の回動軸を有する軸部を備え、軸部は、回動軸に近づくに従って肉厚となるように形成されたフランジ部を備えているので、フランジ部の回動軸側ほどその厚さが厚くなって回動軸周りの強度を向上させることができ、アーム部の回動をより好適に行うことができる。
【００２４】
請求項８に記載の発明によれば、請求項７に記載の発明と同様の効果が得られるのは無論のこと、特に、フランジ部の外面部は、回動軸側に凹むように形成されているので、本体部の内側に配設される機器の実装範囲の確保をより適正に行うことができる。また、フランジ部の外面部は、本体部の内壁に沿うように曲面状に形成されているので、フランジ部の外面部と内壁との接触面積を大きくすることができる。従って、当該フランジ部によるアーム部の回動の案内をより好適に行うことができることとなって、アーム部の傾きやがたつき等を適正に抑えることができる。
【発明を実施するための最良の形態】
【００２５】
以下に、本発明について、図面を用いて具体的な態様を説明する。ただし、発明の範囲は、図示例に限定されない。
【００２６】
［実施形態１］
以下、本発明の耳装着型電子機器を耳装着型の脈拍測定装置（以下、「耳装着型装置」と略す。）１に適用した場合の実施形態１について図１〜図１３を参照して詳細に説明する。
なお、説明における方向は、耳装着型装置１を装着した使用者にとっての方向とする。具体的には、耳装着型装置１を装着した場合の顔面側（図１（ｂ）の左側）を前、後頭部側（図１（ｂ）の右側）を後とし、左耳側を左、右耳側を右、上を上、下を下とする。また、左右のアーム部３Ｒ，３Ｌが近接する方向、すなわち頭部の中央に向けた方向を内側方向とし、その逆を外側方向とする。
【００２７】
先ず、耳装着型装置１の概要を説明する。
耳装着型装置１は、図１に示すように、本体部１０と、右アーム部３Ｒと、左アーム部３Ｌと、スピーカ部である右ドライバユニット３４Ｒ及び左ドライバユニット３４Ｌと、脈拍センサ部５とを備えて構成される。
【００２８】
また、図２に示すように、本体部１０には、内部にラジオ受信回路部１１４（図１３参照）や脈拍計測部１０８（図１３参照）、音声出力部１１６（図１３参照）等の各種制御回路や電源部等が内蔵され、正面に操作パネル１６が配設されている。さらに、本体部１０は、その背面に着脱可能な蓋１４が形成され、右端に右アーム支持部１０Ｒ、左端に左アーム支持部１０Ｌが形成されている。
【００２９】
操作パネル１６には、例えば、ＬＣＤ（Liquid Crystal Display）等で構成される表示部１２と各種スイッチ群１８が配設されている。
各種スイッチ群１８には、耳装着型装置１の動作モードを設定するためのモードスイッチ１８ａと、ラジオの受信を開始させるためのラジオスイッチ１８ｂと、ストップウォッチの動作と脈拍センサ部５による脈拍の検出動作とを同時に開始又は停止させるためのスタートストップスイッチ１８ｃと、電源をＯＮ／ＯＦＦさせるための電源スイッチ１８ｄと、音量を変更するための音量スイッチ１８ｅとがある。
【００３０】
蓋１４は、螺子１４ａにより本体部１０に着脱可能に形成されている。この蓋１４を取り外して、電源部の電池交換が行われる。
【００３１】
右アーム支持部１０Ｒは、右アーム部３Ｒを支持するための機構であり、左アーム支持部１０Ｌは、左アーム部３Ｌを支持するための機構である。
【００３２】
右アーム部３Ｒは、その内側に右ドライバユニット３４Ｒと本体部１０の音声出力部１１６とを電気的に接続する接続コード等の接続部材６（図４参照）が配設されるものであり、右アーム３０Ｒと、右接続部３８Ｒと、右ドライバユニット支持部３２Ｒとが一体的に形成されて構成されている。
【００３３】
右アーム３０Ｒは、図２（ａ）及び図３（ａ）に示すように、右アーム支持部１０Ｒの上端部から上方に延出した後、右斜め上方、且つ、後方に略半円状に外側に湾曲されて形成されている。
【００３４】
右接続部３８Ｒは、右アーム３０Ｒと右ドライバユニット支持部３２Ｒとを仲介するためのものである。具体的には、右接続部３８Ｒは、例えば、筒状に形成されており、当該右接続部３８Ｒの筒内に右アーム３０Ｒの端部を挿入して固定し、右接続部３８Ｒの他端は、右ドライバユニット支持部３２Ｒを下方に支持して仲介している。
尚、右接続部３８Ｒと、右アーム３０Ｒとを固定せずに、伸縮可能に構成することで右アーム部３Ｒの全長を調節する機構としてもよい。
【００３５】
右ドライバユニット支持部３２Ｒは、板状に形成され、右ドライバユニット３４Ｒを支持するためのものである。具体的には、図３（ａ）のように、右ドライバユニット支持部３２Ｒは、斜め後ろ下方に延伸するように略Ｌ字状に形成されており、その先端部に右ドライバユニット３４Ｒが支持されている。また、右ドライバユニット支持部３２Ｒの右側面には、測定直後の脈拍数を読み上げる音を出力させるためのパルススイッチ３６Ｒが配設されている。
【００３６】
右アーム部３Ｒを構成する右アーム３０Ｒと、右接続部３８Ｒと、右ドライバユニット支持部３２Ｒとにより、耳孔７Ｒ（図示略）から後頭部Ｈまでの一般的な人体の側頭部形状に沿って湾曲したアームが形成されている。
尚、各アーム部３Ｒ、３Ｌは湾曲して形成されることとして説明したが、これに限られるものではなく、上面視略Ｌ字状に直線状に曲折させて形成することとしてもよい。
【００３７】
右ドライバユニット３４Ｒは、スピーカ部であり、耳孔７Ｒ内に挿入可能な略半球体の形状に形成され、内部にスピーカ１１８が配設されている。略半球体を形成する底面には音声を放出するための複数の孔７０が開けられた放音面７２が形成されている。また、右ドライバユニット３４Ｒは、右ドライバユニット支持部３２Ｒにより、放音面７２が装着時前方の矢印Ｖ５の方向へ向くように略半球体の側部が支持される。本体部１０とスピーカ１１８とを接続する接続部材６は、右ドライバユニット支持部３２Ｒから右接続部３８Ｒ、右アーム３０Ｒの内部を介して本体部１０に配設されている。
【００３８】
このように右ドライバユニット３４Ｒは略半球体形状に形成されているため、着脱に際
して耳孔との間で一定の抵抗を生じさせ、耳孔内への挿入だけで一定の装着感・安定感が得られる形状となっている。また、放音面７２（底面）が前方に向いた略半球体形状であるため、外部から耳孔を完全に閉ざし、外界の音を遮断することがない。従って、例えばジョギングしている際にスピーカ１１８から音声が出力されている場合であっても交通に関する外界の音を聞きとることができる。
【００３９】
左アーム部３Ｌは、左アーム３０Ｌと、左接続部３８Ｌと、左ドライバユニット支持部３２Ｌとが一体的に形成されて構成されている。
ここで、左アーム部３Ｌは、右アーム部３Ｒと略同様の構成をなし、この右アーム部３Ｒと異なる構成について以下に説明する。
【００４０】
左ドライバユニット支持部３２Ｌの左側面には、ラジオの選局を行うためのチューナスイッチ３６Ｌが配設されている。
また、左接続部３８Ｌの後方側端部には、板状に形成された鍔３４が接続されている。鍔３４は、使用者が脈拍センサ部５を使用しないときに脈拍センサ部５を挟着・係止させるためのものである。
【００４１】
上記構成の右アーム部３Ｒ及び左アーム部３Ｌは、当該耳装着型装置１が耳に装着される際の機器装着位置（図４参照）と不使用の耳装着型装置１を収納する際の機器収納位置（図５参照）となるまで本体部１０に対して回動可能に構成されている。
以下に、右アーム部３Ｒ及び左アーム部３Ｌの回動機構について説明する。
【００４２】
図６及び図７に示すように、左アーム部３Ｌの左アーム３０Ｌは、その左アーム支持部１０Ｌ側の端部、即ち、本体部１０に取り付けられることで左アーム支持部１０Ｌの内側となる位置に、当該左アーム３０Ｌの回動軸Ｓ３（図２（ａ）参照）を構成する軸部４００が設けられている。
【００４３】
軸部４００には、当該左アーム３０Ｌのアーム本体部３１Ｌよりも径が大きく、回動軸Ｓ３に近づくに従って肉厚となるフランジ部４１０と、外面４２１を本体部１０を構成するパネル側ケース５１０及び電源側ケース５２０（詳細後述）の内摺動面５１６、５２６（後述）に摺動させるようにして当該左アーム３０Ｌの回動を案内する摺動ガイド４２０とが一体的に形成されている。
具体的には、左アーム３０Ｌは、内側に接続部材６を配設するためにアーム本体部３１Ｌから軸部４００に亘って表面から中心側に所定の深さ切り欠かれた切欠部分３１が形成されてなり、例えば、図７に示すように、平面視において、切欠部分３１を挟んでフランジ部４１０と摺動ガイド４２０とが設けられている。
【００４４】
フランジ部４１０は、軸部４００における切欠部分３１の一方の端部に連続して、所定の円弧長を有するように平面視略扇形に形成されている。また、フランジ部４１０は、その外面部４１１、具体的には、図６における下面が回動軸Ｓ３側に凹むように、且つ、パネル側ケース５１０及び電源側ケース５２０の曲面状の内壁面部５１６、５２６（内壁）に沿うように所定の曲率を有する曲面状に形成されている。
【００４５】
摺動ガイド４２０は、フランジ部４１０と軸部４００における切欠部分３１の他方の端部とを結ぶようにして、フランジ部４１０と略等しい半径で、外面４２１が略円弧状となるように形成されている。また、摺動ガイド４２０は、フランジ部４１０とアーム本体部３１Ｌ側の端面（例えば、図６における上端面）を共有して、回動軸Ｓ３の軸方向に所定の厚みを有する部材である。さらに、摺動ガイド４２０は、図８に示すように、回動軸Ｓ３から径方向に延在し、且つ、外面４２１に連続するようにして、回動する左アーム部３Ｌを機器装着位置及び機器収納位置に停止させる装着位置回動停止面４２２及び収納位置回動停止面４２３（回動停止面）が形成されている。装着位置回動停止面４２２及び収納位置回動停止面４２３は、より具体的には、例えば、回動軸Ｓ３を頂点として２つの面によってなす角度が略直角となるような配置で設けられている。
また、摺動ガイド４２０の外面４２１には、パネル側ケース５１０及び電源側ケース５２０の内面から突出されたリブ５１７に係合される断面略コ字状の溝部４２４が摺動方向に沿って形成されている。
【００４６】
上記のように、軸部４００を構成するフランジ部４１０及び摺動ガイド４２０により、左アーム部３Ｌを本体部１０に対して回動させるための回動機構部が構成されている。
【００４７】
なお、アーム本体部３１Ｌは、図９に示すように、その左接続部３８Ｌ側の端部が筒状に形成されており、内側に接続部材６（図示略）を配設可能となっている。
【００４８】
また、右アーム部３Ｒは、左アーム部３Ｌと略同様の構成をなし、詳細な説明は省略する。
【００４９】
右アーム支持部１０Ｒ及び左アーム支持部１０Ｌを構成する本体部１０は、図１０及び図１１に示すように、凹型に形成されたパネル側ケース５１０（第一本体ケース部）及び電源側ケース５２０（第二本体ケース部）を備えている。
即ち、パネル側ケース５１０及び電源側ケース５２０は、開口側を互いに対向させて配設されることで、右アーム支持部１０Ｒ及び左アーム支持部１０Ｌを構成するようになっている。
【００５０】
パネル側ケース５１０は、その内側に所定の基板Ｋ（図４参照）等が収容される基板収容部５１１が設けられ、この基板収容部５１１よりも左右方向側の端部に、右アーム支持部１０Ｒ及び左アーム支持部１０Ｌを構成する右支持部構成部５１２及び左支持部構成部５１３が設けられている。
右支持部構成部５１２及び左支持部構成部５１３の各々は、回動される左右アーム部３Ｒ、３Ｌのフランジ部４１０の外面部４１１に沿うように曲面状に形成されたパネル側内壁面部（内壁）５１４が設けられている。
また、パネル側内壁面部５１４よりも左右方向端部側に、回動される左右アーム部３Ｒ、３Ｌを機器装着位置に停止させるために摺動ガイド４２０の装着位置回動停止面４２２が接触される装着位置停止部５１５が設けられている。この装着位置停止部５１５は、基板収容部５１１からわずかに間隔を空けて右支持部構成部５１２及び左支持部構成部５１３の内面から前側に突出するように配設されている。これにより、装着位置停止部５１５と基板収容部５１１の間に、接続部材６を引き回すための空間を確保することができる。
また、右支持部構成部５１２及び左支持部構成部５１３の各々は、摺動ガイド４２０の摺動面となる外面４２１と曲率がほぼ等しくなるように形成された内摺動面５１６を有しており、その内摺動面５１６の所定位置には、摺動ガイド４２０の溝部４２４に係合されるリブ５１７が摺動方向に沿って装着位置停止部５１５の基端部まで延設されている。
【００５１】
電源側ケース５２０は、その内側に所定の電池等が配置される電源配置部５２１が設けられ、この電源配置部５２１よりも左右方向側の端部に、右アーム支持部１０Ｒ及び左アーム支持部１０Ｌを構成する右支持部構成部５２２及び左支持部構成部５２３が設けられている。
右支持部構成部５２２及び左支持部構成部５２３の各々は、回動される左右アーム部３Ｒ、３Ｌのフランジ部４１０の外面部４１１に沿うように曲面状に形成された電源側内壁面部（内壁）５２４が設けられている。
また、電源側内壁面部５２４の左右方向端部側の内面に連続して、回動される左右アーム部３Ｒ、３Ｌを機器収納位置に停止させるために摺動ガイド４２０の収納位置回動停止面４２３が接触される収納位置停止部５２５が設けられている。この収納位置停止部５２５は、右支持部構成部５２２及び左支持部構成部５２３の内面から前側に突出するように配設されている。
また、右支持部構成部５２２及び左支持部構成部５２３の各々は、摺動ガイド４２０の摺動面となる外面４２１と曲率がほぼ等しくなるように形成された内摺動面５２６を有しており、その内摺動面５２６の所定位置には、摺動ガイド４２０の溝部４２４に係合されるリブ５２７が摺動方向に沿って電源配置部５２１の起立面の基端部まで延設されている。
【００５２】
上記構成によって、パネル側ケース５１０及び電源側ケース５２０が対向配置されて、右アーム支持部１０Ｒ及び左アーム支持部１０Ｌにより右アーム部３Ｒ及び左アーム部３Ｌが支持された状態において、右アーム部３Ｒ及び左アーム部３Ｌは、その摺動ガイド４２０の装着位置回動停止面４２２がパネル側ケース５１０の装着位置停止部５１５に接触するまで回動させることができるとともに、摺動ガイド４２０の収納位置回動停止面４２３が電源側ケース５２０の収納位置停止部５２５に接触するまで回動させることができるようになっている。
このように、パネル側ケース５１０の装着位置停止部５１５及び電源側ケース５２０の収納位置停止部５２５によって、左右アーム部３Ｒ、３Ｌの回動を停止させるための回動停止機構部が構成されている。
【００５３】
なお、右アーム支持部１０Ｒ及び左アーム支持部１０Ｌの上端部には、当該右アーム支持部１０Ｒ及び左アーム支持部１０Ｌに取り付けられた左右アーム部３Ｒ、３Ｌが本体部１０から延出される開口部５３０が設けられている。この開口部５３０は、アーム本体部３１Ｌよりも小さい径を有し、且つ、アーム本体部３１Ｌと軸部４００とを接続する軸部接続部４３０（図６参照）よりもわずかに大きい径を有するように開口してなり、右アーム支持部１０Ｒ及び左アーム支持部１０Ｌに取り付けられた左右アーム部３Ｒ、３Ｌを抜け止めするようになっている。
【００５４】
また、パネル側ケース５１０及び電源側ケース５２０は、例えば、所定の樹脂から射出成形されることで製造されるようになっている。即ち、パネル側ケース５１０及び電源側ケース５２０の何れか一方に装着位置停止部５１５が設けられ、他方に収納位置停止部５２５が設けられているので、パネル側ケース５１０及び電源側ケース５２０の何れか一方に装着位置停止部５１５及び収納位置停止部５２５を設ける場合に比べて、装着位置停止部５１５及び収納位置停止部５２５を設ける位置の自由度を向上させることができ、パネル側ケース５１０及び電源側ケース５２０の構造を簡略化することができる。つまり、パネル側ケース５１０及び電源側ケース５２０の射出成形を簡便に行って、パネル側ケース５１０及び電源側ケース５２０を簡便に形成することができる。
【００５５】
脈拍センサ部５は、脈拍という血流の状態を検出する検出手段であり、耳介の一部である耳朶に挟着可能なクリップを有し、脈拍を光学的に検出するためのセンサが挟着面に配設されている。また、脈拍センサ部５は、本体部１０の左側面からケーブル５０を介して電気的に接続され、脈拍計測部１０８と通信可能に構成されている。
なお、脈拍センサ部５は、内部に発光ダイオード等の発光素子と、フォトダイオード等の受光素子とを備え、脈拍を光学的に検出するセンサを構成しており、その機構、構成については、公知技術であるため、その詳細な説明は省略する。
【００５６】
図１３は、耳装着型装置１の機能構成をブロック図で示したものである。
同図によれば、耳装着型装置１は、ＣＰＵ（Central Processing Unit）１００と、Ｒ
ＯＭ（Read Only Memory）１０２と、ＲＡＭ（Random Access Memory）１０４と、振動計測部１０６と、脈拍センサ部５で検出された脈拍から脈拍数を計測する脈拍計測部１０８と、入力部１１０と、表示部１１２と、ラジオ受信回路部１１４と、スピーカ１１８に音声を出力させる音声出力部１１６と、パルススイッチ３６Ｒと、チューナスイッチ３６Ｌとがバス１２０に接続されて構成される。
【００５７】
ＣＰＵ１００は、入力部１１０から入力される押下信号に応じて所定のプログラムに基づいた処理を実行し、各機能部への指示やデータの入出力を行ったり、表示部１１２に処理結果を表示させたりする。
【００５８】
ＲＯＭ１０２は、各種初期設定、ハードウェアの検査、又は必要なプログラムのロード等を行うための初期プログラムや、耳装着型装置１の基本機能を実現するためのプログラムを格納する。ＲＡＭ１０４は、ＣＰＵ１００が実行する各種プログラムやこれらプログラムの実行に係るデータ等を一時的に保管するメモリ領域を備える。
【００５９】
振動計測部１０６は、加速度計等の振動検出手段を備えて構成され、耳装着型装置１の振動を検出して、検出した振動から使用者の歩行又は走行ピッチを計測し、ピッチ音としてスピーカ１１８に出力させる。脈拍計測部１０８は、脈拍センサ部５により検出された脈拍から単位時間の脈拍数を計測して、計測結果を所定の音声でスピーカ１１８に出力させる。
【００６０】
入力部１１０は、上述した各種スイッチ群１８に相当し、押下されたスイッチの押下信号等をＣＰＵ１００に出力する。表示部１１２は、ＣＰＵ１００から入力される表示制御信号に基づいて各種画面を表示させる。
【００６１】
ラジオ受信回路部１１４は、受信アンテナを備え、当該受信アンテナを介してラジオ放送を受信し、受信したラジオ放送をスピーカ１１８に出力させるための回路部である。音声出力部１１６は、スピーカ１１８への音声出力を制御する回路部であり、音声信号をス
ピーカ１１８に出力することによりスピーカ１１８から音声を出力させる。本実施形態において、スピーカ１１８からは、脈拍数と、ピッチ音と、ラジオ放送とが使用者の操作によって選択されて出力される。
【００６２】
以上のように、本実施形態の耳装着型装置１によれば、左右アーム部３Ｒ、３Ｌの回動軸Ｓ３、Ｓ５を有する軸部４００に設けられたフランジ部４１０及び摺動ガイド４２０によって、本体部１０に対して左右アーム部３Ｒ、３Ｌを回動させることができ、当該左右アーム部３Ｒ、３Ｌの回動をパネル側ケース５１０及び電源側ケース５２０に設けられた装着位置停止部５１５及び収納位置停止部５２５によって停止することができる。従って、本体部１０に対して左右アーム部３Ｒ、３Ｌを回動させても、当該左右アーム部３Ｒ、３Ｌの内側に配設された接続部材６に無理な力が加わらなくなり、接続部材６の破損を防止することができる。
【００６３】
ここで、装着位置停止部５１５によって、耳装着型装置１の装着状態における左右アーム部３Ｒ、３Ｌの回動停止位置を規定することができ、また、収納位置停止部５２５によって、耳装着型装置１の収納状態における左右アーム部３Ｒ、３Ｌの回動停止位置を規定することができる。即ち、左右アーム部３Ｒ、３Ｌを回動させて、摺動ガイド４２０の装着位置回動停止面４２２を装着位置停止部５１５に接触させることにより、耳装着型装置１の機器装着位置に当該左右アーム部３Ｒ、３Ｌを停止させることができ、また、収納位置回動停止面４２３を収納位置停止部５２５に接触させることにより、耳装着型装置１の機器収納位置に当該左右アーム部３Ｒ、３Ｌを停止させることができる。従って、耳装着型装置１の装着及び収納を簡便に行うことができる。
【００６４】
また、摺動ガイド４２０によって、その外面をパネル側ケース５１０及び電源側ケース５２０の内摺動面５１６、５２６に摺動させるようにして左右アーム部３Ｒ、３Ｌの回動の案内を適正に行うことができる。従って、左右アーム部３Ｒ、３Ｌの回動をより適正に行うことができる。
さらに、摺動ガイド４２０の外面には、リブ５１７、５２７に係合される溝部４２４が摺動方向に沿って形成されているので、摺動ガイド４２０による左右アーム部３Ｒ、３Ｌの回動の案内をより好適に行うことができることとなって、左右アーム部３Ｒ、３Ｌの傾きやがたつき等を適正に抑えることができる。
【００６５】
また、フランジ部４１０は、左右アーム部３Ｒ、３Ｌの回動軸Ｓ３、Ｓ５に近づくに従って肉厚となるように形成されているので、フランジ部４１０の回動軸Ｓ３、Ｓ５側ほどその厚さが厚くなって回動軸Ｓ３、Ｓ５周りの強度を向上させることができ、左右アーム部３Ｒ、３Ｌの回動をより好適に行うことができる。
さらに、フランジ部４１０の外面部４１１は、回動軸Ｓ３、Ｓ５側に凹むように形成されているので、外面部４１１の形状に合わせてパネル側ケース５１０のパネル側内壁面部５１４及び電源側ケース５２０の電源側内壁面部５２４を形成することにより、当該本体部１０の内側に配設される機器の実装範囲の確保をより適正に行うことができる。また、フランジ部４１０の外面部４１１は、パネル側内壁面部５１４及び電源側内壁面部５２４に沿うように曲面状に形成されているので、フランジ部４１０の外面部４１１とパネル側内壁面部５１４及び電源側内壁面部５２４との接触面積を大きくすることができる。従って、当該フランジ部４１０による左右アーム部３Ｒ、３Ｌの回動の案内をより好適に行うことができることとなって、左右アーム部３Ｒ、３Ｌの傾きやがたつき等を適正に抑えることができる。
【００６６】
なお、上記実施形態では、右アーム部３Ｒ及び左アーム部３Ｌの回動を耳装着型装置１の機器装着位置及び機器収納位置にて停止させるような構成としたが、これに限られるものではなく、右アーム部３Ｒ及び左アーム部３Ｌの回動停止位置は当該右アーム部３Ｒ及び左アーム部３Ｌが一回転以内に回動停止可能な位置であれば如何なる場所であっても良い。
また、第一本体ケース部としてのパネル側ケース５１０に装着位置停止部５１５を設け、第二本体ケースとしての電源側ケース５２０に収納位置停止部５２５を設けるような構成としたが、これに限られるものではなく、例えば、パネル側ケース５１０に収納位置停止部５２５を設け、且つ、電源側ケース５２０に装着位置停止部５１５を設けても良い。
なお、回動停止機構部は、パネル側ケース５１０や電源側ケース５２０等のケース体の外側に配設されても良い。例えば、ケース体の外側の所定位置に凸状の装着位置停止部５１５や収納位置停止部５２５を配設し、これら装着位置停止部５１５や収納位置停止部５２５に回動される左右アーム部３Ｒ、３Ｌを当接させることにより当該左右アーム部３Ｒ、３Ｌの回動を停止させるようにしても良い。
【００６７】
また、上記実施形態では、右アーム部３Ｒ及び左アーム部３Ｌとして、軸部４００にフランジ部４１０及び摺動ガイド４２０を備えるものを例示したが、これに限られるものではなく、フランジ部４１０及び摺動ガイド４２０を設けるか否かは、目的とする右アーム部３Ｒ及び左アーム部３Ｌの形状等に応じて適宜変更可能となっている。
さらに、軸部４００にフランジ部４１０と摺動ガイド４２０が一体となって連続的に形成されたものを例示したが、これに限られるものではなく、フランジ部４１０と摺動ガイド４２０とが所定の距離を空けて形成されたものであっても良い。
この場合において、摺動ガイド４２０に本体部１０のリブ５１７、５２７に係合される溝部４２４を設けるか否かも任意要件であり、本体部１０の形状等に応じて適宜変更可能となっている。
【００６８】
［実施形態２］
以下に、図１４を参照して実施形態２の耳装着型装置について詳細に説明する。
ここで、図１４は、本発明における実施形態２の耳装着型装置に備わる付勢機構を説明するための右アーム支持部１０Ｒの拡大図である。
実施形態２の耳装着型装置にあっては、本体部１０に備えられた付勢機構によって、右アーム部３Ｒは、本体部１０の右上端部で内側の方向に付勢するように支持され、また、左アーム部３Ｌは、本体部１０の左上端部で内側（矢印Ｖ３）の方向に付勢するように支持されている。
【００６９】
即ち、右アーム支持部１０Ｒは、内部に右アーム部３Ｒを矢印Ｖ３方向（内側方向）に付勢するための例えば、捻りコイルバネ１０２Ｒのような付勢機構を備えて構成される。図１４のように、右アーム支持部１０Ｒの上端部１０４Ｒから挿入された右アーム３０Ｒの一端（この一端部分はバネの弾性力伝達のため円柱状であるとより好適である）に捻りコイルバネ１０２Ｒが巻き付けられて、右アーム部３Ｒを矢印Ｖ３の方向へ付勢するように付勢機構が構成される。このような付勢機構により、右アーム部３Ｒは矢印Ｖ３方向に付勢され、回転軸Ｓ５を中心に回動される。
なお、左アーム支持部１０Ｌも、右アーム支持部１０Ｒとほぼ同様の構成をなしており、その説明は省略する。
【００７０】
上記構成とすることにより、使用者は、耳装着型装置を装着するために、右ドライバユニット３４Ｒと左ドライバユニット３４Ｌとが離間する方向へ右アーム部３Ｒと左アーム部３Ｌとを把持して広げる。そして、後頭部Ｈ側から頭部を回り込むようにして、耳装着型装置を移動させ、右ドライバユニット３４Ｒを右耳の耳孔７Ｒに、左ドライバユニット３４Ｌを左耳の耳孔７Ｌに挿入して、耳装着型装置が装着される。
【００７１】
このとき、右アーム部３Ｒと左アーム部３Ｌとを介して右ドライバユニット３４Ｒと左ドライバユニット３４Ｌとに伝達される付勢力により、当該右ドライバユニット３４Ｒと左ドライバユニット３４Ｌとが耳孔内の方向（内側方向）に押圧される。また、図１（ｂ）のように、本体部１０の背面（操作パネル１６の裏面）が後頭部Ｈの下方に当接されて 、本体部１０の姿勢が保持される。
【００７２】
以上、本実施形態によれば、右アーム支持部１０Ｒの付勢機構により、右アーム部３Ｒが内側方向に、左アーム支持部１０Ｌの付勢機構により左アーム部３Ｌが内側方向（矢印Ｖ３方向）に向けて付勢される。この付勢機構による付勢力が右アーム部３Ｒを伝わって右ドライバユニット３４Ｒに伝達されると共に、左アーム部３Ｌを伝わって左ドライバユニット３４Ｌに伝達される。そして、各ドライバユニット３４Ｒ，３４Ｌが頭部中心に向けて、即ち各ドライバユニットが近接する方向に付勢され耳孔内に押圧される。各ドライバユニット３４Ｒ，３４Ｌが半球体の形状をなしていることに加えて、この内側方向への押圧によって、ドライバユニットは耳孔内から抜けにくくなり、使用者の頭部の動きに対してずれにくくなるため、運動中にも安定した装着感が得られる。
【００７３】
また、右ドライバユニット３４Ｒと左ドライバユニット３４Ｌとを結ぶ揺動軸Ｓ１（図１参照）が耳装着型装置の回転軸となるが、バッテリーなどを内蔵することによるある程度の重量を持った本体部１０が、その自重によって後頭部Ｈの下方に当接した状態で安定化されるため、耳装着型装置の姿勢が保持される。従って、本体部１０の自重により、頭部の動きによる揺動軸Ｓ１を中心とする回転方向への揺動も抑制され、安定した装着感が得られる。
【００７４】
また、頭部への当接面は、右ドライバユニット３４Ｒと、左ドライバユニット３４Ｌと、本体部１０の背面の３カ所であるため、耳介密閉型のヘッドホンや特許文献１に記述のヘッドホンに比べて閉塞感が軽減され、より快適な装着感が得られる。
【００７５】
また、右アーム部３Ｒは耳介１１Ｒ（図示略）の右側から、左アーム部３Ｌは耳介１１Ｌの外側から頭部に圧接される。従って、耳介１１Ｒの付け根部分に右アーム部３Ｒが、耳介１１Ｌの付け根部分に左アーム部３Ｌが掛からないため、耳装着型装置の装着時に、眼鏡を着用することができる。
【００７６】
また、脈拍センサ部５は左耳の耳朶９Ｌに挟着・係止するため、耳装着型装置の装着に関わる部位は頭部だけである。これより、例えば、走行中の使用者の腕の振り上げ時に、ケーブル５０が邪魔になるということがなくなる。従って、装着中のケーブル５０の煩わしさが軽減される。
【００７７】
また、脈拍センサ部５が本体部１０の左側面に接続されることで、使用者は、当該脈拍センサ部５を左耳の耳朶９Ｌに挟着する。この脈拍センサ部５により検出された脈拍の脈拍数を聞くためのパルススイッチ３６Ｒは、脈拍センサ部５を挟着する耳朶９Ｌとは反対側の右ドライバユニット支持部３２Ｒ上に配設されている。従って、脈拍数を聞くために行うパルススイッチ３６Ｒの押下操作時に、脈拍センサ部５に過って触れてしまうことなく、脈拍の検出への悪影響が軽減される。
【００７８】
なお、本実施形態において、耳装着型装置の右側にパルススイッチ３６Ｒを配設し、左側に脈拍センサ部５を接続することとして説明したが、左側にパルススイッチ３６Ｒを配設し、右側に脈拍センサ部５を接続するとしても同様の効果が得られることは無論である。
【００７９】
なお、本発明は、上記実施形態に限定されることなく、本発明の趣旨を逸脱しない範囲において、種々の改良並びに設計の変更を行っても良い。
例えば、放音面７２が前面を向いたいわゆるバーチカル型のドライバユニットを形成することとして説明したが、放音面が頭部内側を向いた密閉型のドライバユニットとして形成してもよいし、閉塞感が損なわれない程度のオープンエア型のドライバユニットとして形成することとしてもよい。
【００８０】
また、脈拍数を測定して音声出力することとして説明したが、例えば、脈拍センサによって血中酸素飽和濃度を光学的に検出して、音声出力することとしてもよいし、また、ドライバユニットに電子的な体温計を内蔵し、耳孔内の体温を測定して音声出力することとしてもよい。
【００８１】
また、右アーム支持部１０Ｒ及び左アーム支持部１０Ｌにより各アーム部３Ｒ、３Ｌを内側に付勢するように支持することとして説明したが、これに限られるものではなく適宜設計変更してもよい。
【００８２】
例えば、図１５（ａ）のように、ポリプロピレン等の可撓性及び弾性を有する材料により上面視略Ｕ字状のヘッドバンドを形成し、その両端部に右ドライバユニット３４Ｒ及び左ドライバユニット３４Ｌを支持することとしてもよい。このヘッドバンド２００を撓ませて装着することにより、ヘッドバンド２００の内側方向への付勢力（弾性力）が働く。このため、本実施形態と同様に、各ドライバユニットを耳孔内に押圧することができる。
【００８３】
また、例えば、図１５（ｂ）のように、本体部１０の両側面にヒンジ部を設け、ヒンジ部分に捻りコイルバネのような付勢機構を形成させることとしてもよい。そして、右バンド３００Ｒ及び左バンド３００Ｌを本体部１０から延伸するような形状に構成するとしてもよい。
【図面の簡単な説明】
【００８４】
【図１】本発明における実施形態１の耳装着型装置の（ａ）は斜視図であり、（ｂ）は装着状態を示す図である。
【図２】図１の耳装着型装置の（ａ）は正面図であり、（ｂ）は背面図である。
【図３】図１の耳装着型装置の（ａ）は右側面図であり、（ｂ）は左側面図である。
【図４】図２（ａ）のIV−IV線における一部省略断面図である。
【図５】図１の耳装着型装置の機器収納状態における一部省略断面図である。
【図６】図１の耳装着型装置に備わる左アームを示す図である。
【図７】図６の左アームを示す底面図である。
【図８】図６のVIII−VIII線における断面図である。
【図９】図６のIX−IX線における断面図である。
【図１０】図１の耳装着型装置に備わるパネル側ケースを示す斜視図である。
【図１１】図１の耳装着型装置に備わる電源側ケースを示す斜視図である。
【図１２】図２（ｂ）のXII−XII線における断面図である。
【図１３】本発明における耳装着型装置の機能構成の一例を示す図である。
【図１４】本発明における実施形態２の耳装着型装置に備わる付勢機構を説明するための右アーム支持部の拡大図である。
【図１５】本発明における耳装着型装置の変形例の一例を示す図である。
【符号の説明】
【００８５】
１      耳装着型装置（耳装着型電子機器）
３Ｒ    右アーム部
３Ｌ    左アーム部
４００  軸部（回動機構部）
４１０  フランジ部
４１１  外面部
４２０  摺動ガイド
４２１  外面
４２２  装着位置回動停止面
４２３  収納位置回動停止面
４２４  溝部
１０    本体部
５１０  パネル側ケース（第一本体ケース部）
５１４  パネル側内壁面部（内壁）
５１５  装着位置停止部（回動停止機構部）
５１６  内摺動面
５１７、５２７  リブ
５２０  電源側ケース（第二本体ケース部）
５２４  電源側内壁面部（内壁）
５２５  収納位置停止部（回動停止機構部）
５２６  内摺動面
３４Ｒ、３４Ｌ  ドライバユニット（スピーカ部）
１１６  音声出力部
６      接続部材
Ｈ      後頭部（後頭下方部）
【図１】
2006109311.tif 000003
【図２】
2006109311.tif 000004
【図３】
2006109311.tif 000005
【図４】
2006109311.tif 000006
【図５】
2006109311.tif 000007
【図６】
2006109311.tif 000008
【図７】
2006109311.tif 000009
【図８】
2006109311.tif 000010
【図９】
2006109311.tif 000011
【図１０】
2006109311.tif 000012
【図１１】
2006109311.tif 000013
【図１２】
2006109311.tif 000014
【図１３】
2006109311.tif 000015
【図１４】
2006109311.tif 000016
【図１５】
2006109311.tif 000017
【手続補正書】
【提出日】平成16年11月16日(2004.11.16)
【手続補正１】
【補正対象書類名】明細書
【補正対象項目名】０００９
【補正方法】変更
【補正の内容】
【０００９】
請求項１に記載の発明の耳装着型電子機器（例えば、図１の耳装着型装置１）は、
装着時に後頭下方部付近で保持される本体部（例えば、図１の本体部１０）と、
この本体部から延出した一対のアーム部（例えば、図１の左右アーム部３Ｒ、３Ｌ等）と、
これらアーム部それぞれの先端部に支持された一対のスピーカ部（例えば、図１の左右ドライバユニット３４Ｒ、３４Ｌ等）と、
前記本体部に設けられ、前記一対のスピーカ部へ音声信号を出力する音声出力部（例えば、図１３の音声出力部１１６）と、
前記アーム部の内側に配設され、前記音声出力部と前記スピーカ部とを電気的に接続する接続部材（例えば、図４の接続部材６）と、
前記アーム部を前記本体部に対して回動させるための回動機構部（例えば、図６の軸部４００等）と、
この回動機構部による前記アーム部の回動を停止させるための回動停止機構部（例えば、図１０及び図１１の装着位置停止部５１５、収納位置停止部５２５等）と、
を備えることを特徴としている。
【手続補正２】
【補正対象書類名】明細書
【補正対象項目名】００１４
【補正方法】変更
【補正の内容】
【００１４】
請求項６に記載の発明は、請求項４又は５に記載の耳装着型電子機器において、
前記回動機構部は、前記アーム部の前記本体部に取り付けられることで当該本体部の内側となる位置に、前記アーム部の回動軸（例えば、図２の回動軸Ｓ３、Ｓ５）を有する軸部（例えば、図６の軸部４００）を備え、
前記摺動ガイドは、前記軸部に設けられるとともに、前記外面が略円弧状に形成され、且つ、前記回動軸から径方向に延在して、前記回動停止機構部により前記アーム部の回動を停止させるための回動停止面（例えば、図４及び図５の装着位置回動停止面４２２、収納位置回動停止面４２３等）を有することを特徴としている。
【手続補正３】
【補正対象書類名】図面
【補正対象項目名】図１３
【補正方法】変更
【補正の内容】
【図１３】
2006109311.tif 000018